(57)【要約】【課題】従来のハンカチの単一機能を改善し、ファッション性を具備した１枚のハンカチでもって手拭きや汗拭きおよび皮脂取りに使用することができる複合ハンカチを提供する。【解決手段】ハンカチ１を少なくとも２枚の生地で構成し、一方の面には吸水性の優れた生地２を配し、他方の面には皮脂吸収性に優れた生地４を配して縫着一体化し、１枚のハンカチでありながら一方の面は手拭きや汗拭き用に他方の面は皮脂拭き取り用に使用できるようになした。【選択図】図１
2007100266.tif 000002
【特許請求の範囲】
【請求項１】
少なくとも２枚の生地からなる複合ハンカチにして、一方の面には吸水性に優れた生地が配され、他方の面には皮脂吸収性に優れた生地が配され、周辺が縫着されて一体化されていることを特徴とする複合ハンカチ。
【請求項２】
上記一方の面に配された吸水性に優れた生地と、上記他方の面に配された皮脂吸収性に優れた生地に、それぞれ異なる模様がデザインされていることを特徴とする請求項１記載の複合ハンカチ。
【請求項３】
上記吸水性に優れた生地と皮脂吸収性に優れた生地との間に、ガーゼ地が介装されていることを特徴とする請求項１記載の複合ハンカチ。
【発明の詳細な説明】
【技術分野】
【０００１】
本発明は少なくとも２枚の生地からなる複合ハンカチ、詳しくは一方の面に通常のハンカチと同様に吸水性の生地、他方の面に皮脂の拭き取り機能に優れた生地が配された複合ハンカチに関するものである。
【背景技術】
【０００２】
ハンカチには一般に木綿、絹などの吸水性と染色性に優れた生地が用いられ、純白なものの他に、先染やプリントあるいは刺繍により多種多用な模様がデザインされて市販されている。また近年、人体の皮脂の吸収性のよい生地が開発され、これらの生地によるハンカチや清拭布が提供されるに至っている。
【０００３】
【特許文献１】特開平９−２５６２７５号公報
【特許文献２】特開平１０−８８４８０号公報
【発明の開示】
【発明が解決しようとする課題】
【０００４】
解決しようとする問題点は、通常のハンカチは吸湿性に富んでいることから、専ら手洗い後の水分の拭き取りや汗の拭き取り用としては好都合ではあるが、人が分泌する皮脂の拭き取り除去機能が十分ではない。また上記特許文献１、２に記載された皮脂吸収性の布帛は、セルロース系の生地に皮脂吸収性の化合物が固着されているため皮脂の拭き取りには有効ではあるがセルロース系生地本来の迅速に吸水性が発揮できず、手洗い後の手拭きや汗拭き用としては不向きである。そのため外出時には殊に女性の場合、手拭きや汗拭き用としての吸水性に優れたハンカチ他にもう一枚、皮脂の拭き取り用のハンカチを別途携行しているのが実情である。このようにそれぞれの用途に適応したハンカチを複数枚も携行することは不便であるばかりでなく、バッグ内やポケット内が嵩張り、使用時にはそれぞれを確認して取り出さなれけばならないという不便があるという点である。
【０００５】
また従来ハンカチ自体は１枚の生地で作られていることから、表面と裏面が同じ柄模様であり、ファッション性に乏しいばかりでなく購入時の柄や模様の選択の幅が限られているということである。
【課題を解決するための手段】
【０００６】
本発明は上記した課題を解決するため、ハンカチを少なくとも２枚の生地でもって構成し、一方の面には吸水性の優れた生地を配し、他方の面には皮脂吸収性に優れた生地を配し、両者の周辺を縫着して一枚もののハンカチとなし、一方の面を水分や汗の拭き取り用に、そして他方の面を皮脂の拭き取り用に使用できるようになしたものである。
【０００７】
またハンカチのファッション性を高め、購入時の色や柄模様の選択の幅を広げるため、上記複合ハンカチの一方の面の吸水性に優れた生地と他方の面の皮脂吸収性に優れた生地にそれぞれ異なる模様をデザインし、さらに水分拭き取り面と皮脂拭き取り面とを色調や模様によって識別できるようになしたものである。
【０００８】
上記複合ハンカチの一方の面構成するところの吸水性の生地としては、細番手糸による綿織物や絹織物が好適であり、模様デザインは、地織柄、先染、プリントあるいは刺繍などいずれによって表現してもよい。
【０００９】
複合ハンカチの片面に用いる皮脂吸収性に優れた生地としては、上記特許文献１記載の生地の他に、セルローズ系生地にアニオン界面活性剤を固着させた生地を挙げることができ、模様デザインは、地織柄、先染、プリントあるいは刺繍などいずれによって表現してもよい。
【００１０】
上記吸水性に優れた生地と皮脂吸収性に優れた生地との間に、もう１枚の他の吸水性生地、例えばガーゼ地、タオル地を介装して３層構造にしておけば、中間層は水分を溜める作用をなしてハンカチ自体の吸水量を増大することができ、また重厚感が生じて皮脂の拭き取りを円滑に行うことができる。
【発明の効果】
【００１１】
このように本発明の複合ハンカチは、少なくとも２枚の生地からり、一方の面には吸水性に優れた生地を配し、他方の面には皮脂吸収性に優れた生地を配し、周辺を縫着して両者を一体化してなるものであり、一枚のハンカチでもって、一方の面は手洗い後の水拭きや汗拭きとして使用することができ、他方の面は皮脂拭き取り用として利用することができ、携行に便利となる。
【００１２】
また一方の面と他方の面にそれぞれ異なる模様がデザインされた複合ハンカチにおいては、汗や水分の拭き取り面と皮脂の拭き取り面とを模様や色調で識別できるばかりでなくハンカチのファッション性が向上し、購入時の表裏の柄模様の選択の幅が広がり、購買力を高めることができる。
【発明を実施するための最良の形態】
【００１３】
吸水性に優れたセルロース系繊維からなる細番手の糸でもって製織され、染色により模様がデザインされたハンカチ生地を方形に裁断し、プリントによってハンカチ生地とは異なる模様がデザインされた皮脂吸収性の生地をハンカチ生地よりもやや小さい大きさの方形に裁断してハンカチ生地の中央部に重ね合わせ、ハンカチ生地の周縁部を皮脂吸収性の生地の周辺部に折り重ね、その折り重ねた周辺部を縫着し両生地を一体化することによって、一方の面が吸水性に優れた生地、そして他方の面が皮脂吸収清拭機能に優れた生地で構成された複合ハンカチとなすことができる。
【実施例１】
【００１４】
以下本発明の実施例を示した図面に基づき説明すると、図１は本発明の基本的な実施態様を示しているものであって、１は複合ハンカチ、２は８０番手（綿番手）の綿糸を経緯に用いて製織された吸水性に優れた生地であり、表面にはプリント模様３Ａが染色デザインされている。４は皮脂吸収性に優れた生地であり、本実施例１においては、皮脂吸収性に優れた生地４として、上記の吸水性に優れた生地１に、非イオン系界面活性能を有する化合物が固定化されて皮脂清拭機能が付与された生地が用いられていて、吸水性に優れた生地２とは異なる模様３Ｂがデザインされている。
【００１５】
本発明の複合ハンカチ１は、上記吸水性に優れた生地２を縦横３０ｃｍの方形に裁断し、他方上記皮脂吸収性に優れた生地４を縦横２４ｃｍの方形に裁断して吸水性に優れた生地２の中央部に重ね合わせ、図２に示しているように吸水性に優れた生地２の周縁部５を約１．５ｃｍ内側に折り曲げてその折り曲げた周縁部でもって皮脂吸収性に優れた生地４の周縁部を包み込み、周縁部５において縫着６して一体化し、図１に示したような複合ハンカチ１となしている。
【実施例２】
【００１６】
図３は、上記実施例１の吸水性に優れた生地２と皮脂吸収性に優れた生地４との間に、皮脂吸収性に優れた生地４と同じ大きさに裁断したガーゼ地７を介装し、実施例１と同様に吸水性に優れた生地２の周縁部５でもって皮脂吸収性に優れた生地４とガーゼ地７の周縁部を包み込み（図４参照）、３枚の生地２、４、７の周端縁をそれぞれ縫着６して一体化して３層構造の複合ハンカチ１となした実施態様を示している。
【産業上の利用可能性】
【００１７】
このように本発明の複合ハンカチ１は少なくとも２枚の生地からなり、一方の面には模様がデザインされた吸水性に優れた生地２が配され、他方の面には皮脂吸収性に優れた生地４が配され、周辺が縫着されて一体化されてなるものであり、ファッション性を具備した一枚のハンカチでありながら、吸水性に優れた生地２が配された一方の面は従来のハンカチと同様に手拭きや汗拭きとして使用でき、他方の面は皮脂の拭き取り用として利用することができるなど１枚のハンカチでもって二つの用途に適用でき、携行にも便利となる。
【００１８】
またガーゼ地７を中間に介装した３層構造の複合ハンカチにおいては、ハンカチ自体の吸水量が増大するばかりでなく、ハンカチ自体が重厚となるため肌への接触感が柔らかくなり、皮脂の拭き取りをスムースに行うことができる。
【図面の簡単な説明】
【００１９】
【図１】本発明の複合ハンカチの実施例を示した斜視図である。
【図２】図１の複合ハンカチの周縁部の状態を示した断面図である。
【図３】本発明の他の実施例を示した一部破断斜視図である。
【図４】図３の複合ハンカチの周縁部の状態を示した断面図である。
【符号の説明】
【００２０】
１    複合ハンカチ
２    吸水性に優れた生地
３Ａ  吸水性に優れた生地のプリント模様
３Ｂ  皮脂吸収性に優れた生地のプリント模様
４    皮脂吸収性に優れた生地
５    周端縁
６    縫着
７    ガーゼ地
【図１】
2007100266.tif 000003
【図２】
2007100266.tif 000004
【図３】
2007100266.tif 000005
【図４】
2007100266.tif 000006